(57)【要約】【課題】  ユーザの履歴情報に応じて、表示する文字列や画像を変えたり、提供するサービスを変化させたりすることが可能な移動無線端末を提供する。【解決手段】  この発明では、移動無線端末が電子商取引を行う際に、自動販売機にて販売される商品の年齢制限情報をＢＴ無線部１０５を通じて受信し、制御部１００がＵＩＭカード１１４に記憶されるユーザの年齢情報と、上記年齢制限情報を比較して、ユーザが年齢制限に該当しない場合に限り、ユーザからの商品の購入要求を受け付けるようにしたものである。【選択図】      図１
2008219902.tif 000002
【特許請求の範囲】
【請求項１】
ユーザの識別情報を記憶する記憶手段と、
通信相手局に対して前記記憶手段に記憶される識別情報を送信し、前記識別情報に対応する履歴情報を取得する通信制御手段と、
前記通信制御手段によって取得した履歴情報に応じた文字列または画像を表示する表示手段とを有することを特徴とする移動無線端末。
【請求項２】
前記通信相手局は電子商取引が可能な販売機であって、
前記通信制御手段は、前記識別情報に対応する前記販売機の利用回数の情報を取得し、
前記表示手段は、前記利用回数の情報が所定の回数以上であった場合に、所定のサービスを受けることが可能な旨を表示することを特徴とする請求項１に記載の移動無線端末。
【請求項３】
前記通信相手局は電子商取引が可能な販売機であって、
前記通信制御手段は、前記識別情報に対応する前記販売機を利用して以前購入した商品の商品情報を取得し、
前記表示手段は、前記以前購入した商品の商品情報に基づいて所定の商品を購入するように奨める所定の文字列または画像を表示することを特徴とする請求項１に記載の移動無線端末。
【請求項４】
前記通信相手局は電子商取引が可能な販売機であって、
前記通信制御手段は、広告情報とその広告情報を他の装置に送信した回数を示す情報を取得し、
前記表示手段は、前記通信制御手段によって取得した広告情報を前記通信制御手段よりも無線送信電力が大きい電波により他の装置へ送信したときに、前記広告情報を他の装置に送信した回数を示す情報が所定の回数に達した場合には、所定のサービスの画面を表示することを特徴とする請求項１に記載の移動無線端末。
【請求項５】
電子商取引が可能な販売機にユーザの識別情報を送信し、前記識別情報に対応する販売機の利用回数情報を取得し、この販売機の利用回数情報にしめされた利用回数が所定の回数以上であった場合に、所定のサービスを前記販売機より受けることが可能な旨を表示することを特徴とする移動無線端末の制御方法。
【発明の詳細な説明】
【技術分野】
【０００１】
この発明は、例えば携帯電話システムやＰＨＳ（Personal Handyphone System）などの移動通信システムに用いられる移動無線端末に関する。
【背景技術】
【０００２】
周知のように、ＥＣ（Electric Commerce：電子商取引）に対応する無線システムとして、赤外線（ＩｒＤＡ）を用いた無線システムや、ＢＴ（Blue Tooth）方式などの近距離無線システムの開発が進められている。
【０００３】
また、赤外線を用いた無線システムの場合、ＩｒＤＡの特性上、使用する光線の指向性が高く、障害物によって通信する両者の送信部と受信部が遮られると通信が行えないなど、電子商取引を行う上で、ユーザの利便性が低いという問題があり、ＢＴ方式によるＥＣシステムの開発が盛んになっている。  
しかしながら、いずれの無線システムを用いたＥＣシステムにおいても、ユーザに応じてサービスを変化させることができないという問題があった。
【発明の開示】
【発明が解決しようとする課題】
【０００４】
従来の電子商取引を行うことが可能な移動無線端末では、ユーザに応じてサービスを変化させることができないという問題があった。  
この発明は上記の問題を解決すべくなされたもので、ユーザの履歴情報に応じて、表示する文字列や画像を変えたり、提供するサービスを変化させたりすることが可能な移動無線端末およびその方法を提供することを目的とする。
【課題を解決するための手段】
【０００５】
上記の目的を達成するために、本発明は、ユーザの識別情報を記憶する記憶手段と、通信相手局に対して記憶手段に記憶される識別情報を送信し、識別情報に対応する履歴情報を取得する通信制御手段と、通信制御手段によって取得した履歴情報に応じた文字列または画像を表示する表示手段とを具備して構成するようにした。
【発明の効果】
【０００６】
したがって、この発明によれば、ユーザの履歴情報に応じて、表示する文字列や画像を変えたり、提供するサービスを変化させたりすることができる。
【発明を実施するための最良の形態】
【０００７】
以下、図面を参照して、この発明の実施形態について説明する。  
この発明の一実施形態に係わる移動無線端末は、Ｗ−ＣＤＭＡ（Wideband Code Division Multiple Access）方式による無線通信機能と、ＢＴ（Blue Tooth）方式による無線通信機能とを備えている。
【０００８】
Ｗ−ＣＤＭＡ方式は、２GHz帯において例えば５MHzの帯域幅を使用して高速で大容量のマルチメディア移動通信を可能にするもので、サービスエリア内に分散配置され、公衆網に接続される基地局ＢＳとの間で同期をとった上で通信を行う。
【０００９】
この基地局と当該移動無線端末との間の無線アクセス方式としては、ＣＤＭＡ方式が使用され、また上り方向と下り方向の多重方式には、ＤＳ−ＦＤＤ（Direct Sequence-Frequency Division Duplex）、ＭＣ−ＦＤＤ（Multi Carrier-Frequency Division Duplex）、及びＴＤＤ（Time Division Duplex）の３方式が選択的に使用される。
【００１０】
これに対しＢＴ方式は、２．４GHz帯のＩＳＭバンドを利用して、１０mW（最大１００mW）と、Ｗ−ＣＤＭＡ方式に比べて微弱な電波により１０m以内の短距離間で無線通信を行うもので、一般にパーソナルコンピュータとプリンタ等の周辺機器との間を接続する方式として使用され、ここでは後述するように、ＥＣ（Electric Commerce）システム対応機器との間の通信に用いる。
【００１１】
またＢＴ方式は、ノイズの多い環境でも通信できるように、無線伝送方式としてホップ周波数が１６００ホップ／secに設定された周波数ホッピング方式が用いられる。また、通信相手との間では非同期チャネルによる無線通信が可能であり、転送速度は全体で１Mbpsとなっている。
【００１２】
さらに、１０m以内の使用範囲で最大８台の機器を接続可能である。これらの機器はピコネットと呼ばれるネットワークを形成し、１台がマスタ、その他の機器がスレーブとして機能する。ピコネット内の機器では、ＰＩＮ（Personal Identification Number）コードと呼ばれる暗証番号によって接続認証が行われる。
【００１３】
ところで、このようなＷ−ＣＤＭＡ方式とＢＴ方式の２つの無線通信方式を備えた当該発明の実施形態に係わる移動無線端末は、例えば図１に示すように構成される。
【００１４】
Ｗ−ＣＤＭＡ無線部１０２は、Ｗ−ＣＤＭＡ方式により基地局ＢＳとの間でアンテナ１０１を通じてＣＤＭＡ信号の送受信を行う。拡散符号のチップレートは、４．０９６Mcpsに設定され、一次変調方式としてＱＰＳＫ方式を採用している。
【００１５】
電圧制御部１０３は、制御部１００の指示に従い、Ｗ−ＣＤＭＡ無線部１０２内の増幅器の利得を制御して、基地局ＢＳ向けに送信されるＣＤＭＡ信号の送信レベルの制御を行う。
【００１６】
ＢＴ無線部１０５は、パーソナルコンピュータやＥＣシステム対応機器との間でＢＴ方式による無線信号の送受信を行う。なお、１０４は、このＢＴ方式による無線信号を送受信するためのアンテナである。
【００１７】
音声コーデック部１０６は、マイクロホン１０７から入力された送話音声信号を所定の音声符号化方式に従い符号化すると共に、上記Ｗ−ＣＤＭＡ無線部１０２から制御部１００を通じて入力された受信信号を復号して受話信号に変換し、スピーカ１０８から拡声出力する。
【００１８】
画像処理部１０９は、ＣＣＤ又はＣＭＯＳ固体撮像素子を用いたカメラ１１０により撮像された画像信号に対し符号化等の画像処理を施してＷ−ＣＤＭＡ方式を用いたテレビジョン（ＴＶ）電話通信や画像データ通信等に対応する形式に変換し、制御部１００へ入力する。
【００１９】
またそれと共に、画像処理部１０９は、受信画像データ又はメモリ１１３に記憶されていた画像データを復号処理して、ＬＣＤ（Liquid Crystal Display）などの表示部１１１に表示させる。
【００２０】
操作部１１２は、テンキーや４方向キーの他、種々の機能キーからなるキー入力部で、通常の発着信の他、表示部１１１に表示される情報のスクロール、通信相手への指示などに用いる。
【００２１】
メモリ１１３は、例えばＲＡＭやＲＯＭなどの半導体メモリなどからなり、後述の制御部１００の制御プログラムを記憶するもので、この他、ＥＣシステムにより当端末が提供を受けることが可能なサービスを示すサービス識別情報や、上記Ｗ−ＣＤＭＡ方式及びＢＴ方式により送信すべきデータや受信したデータ、およびＥＣシステム対応機器の利用履歴や購入履歴、およびこれらの機器より取得したメニュー情報等を蓄積するために使用される。
【００２２】
ＵＩＭカード１１４は、当該移動無線端末にインターフェイス１１５を通じて脱着可能なメモリカードで、Ｗ−ＣＤＭＡ通信システムを運営する事業者との契約情報やユーザの識別情報などのＣＤＭＡ通信を行う上で必要な情報の他に、ユーザの年齢情報や、公衆網などのネットワークを通じて銀行などから引き出した電子マネーの情報、電子マネー用の暗証番号を記憶する。
【００２３】
制御部１００は、当該移動無線端末内の各部を統括して制御するもので、この制御により、Ｗ−ＣＤＭＡ方式による複数種の無線通信やＢＴ方式による複数種の無線通信、あるいは電子商取引に係わる制御を行い、ＥＣシステムに対応する機器より４種類のサービスの提供を受ける機能を持つ。
【００２４】
次に、図２に示すように、当該移動無線端末を用いて、銀行などが管理・運営する電子マネーサーバＥＭＳより、電子マネーに関する情報をＵＩＭカード１１４に引き出す場合の動作について説明する。図３は、この動作を実施するための処理を示すフローチャートで、制御部１００によってなされる。
【００２５】
着信待ち受け時において、ユーザが当該移動無線端末の操作部１１２を操作して、基地局ＢＳを運用・管理する通信事業者が提供するインターネット接続サービスの利用要求を行うと、この処理が開始される。
【００２６】
まず、ステップ３ａでは、Ｗ−ＣＤＭＡ無線部１０２を制御して、基地局ＢＳに無線接続し、インターネット接続サービスの利用要求を行い、ステップ３ｂに移行する。これにより、インターネット接続サービスが開始され、通信事業者が有するインターネットサーバ（図示しない）に接続される。
【００２７】
ステップ３ｂでは、上記インターネットサーバが提供するメニュー情報より、モバイルバンキングを選択して、電子マネーサーバＥＭＳへの接続を要求し、ステップ３ｃに移行する。これにより、インターネットを通じて、当該移動無線端末は、電子マネーサーバＥＭＳとの間に通信リンクが開設される。
【００２８】
ステップ３ｃでは、電子マネーとして引き出す金額を、いくらとするかユーザに問う表示を表示部１１１に行い、引き出し金額の入力を促す。そして、この引き出し金額の入力を受け付け、入力された金額を引き出す要求を、電子マネーサーバＥＭＳに送信し、ステップ３ｄに移行する。
【００２９】
ステップ３ｄでは、電子マネーサーバＥＭＳより要求される暗証番号の入力を促す表示を表示部１１１に行い、暗証番号の入力を受け付ける。そして、受け付けた暗証番号を電子マネーサーバＥＭＳに送信し、暗証番号が一致する旨の応答があったか否かを判定する。  
ここで、入力した暗証番号が一致する旨の応答が電子マネーサーバＥＭＳよりあった場合には、ステップ３ｆに移行し、一方、一致しない場合には、ステップ３ｅに移行して、入力された暗証番号が正しくない旨の表示を表示部１１１に行い、当該処理を終了する。
【００３０】
ステップ３ｆでは、電子マネーサーバＥＭＳより通知される引き出し許可信号を受信して、ステップ３ｃにて要求した引き出し金額の電子マネーに関する情報を、ＵＩＭカード１１４に記録し、当該処理を終了する。  
この後、所定の日時に、銀行口座から、引き出した金額が引き落とされる。
【００３１】
次に、当該移動無線端末を用いて、図２に示すようなＥＣシステムに対応する自動販売機ＶＭよりサービスの提供を受ける場合の動作について説明する。  
自動販売機ＶＭは、ＢＴ通信により移動無線端末のＢＴ無線部１０５と通信するＢＴ無線部３０１と、顧客データを管理する顧客管理サーバＣＳと通信する通信部３０２と、自動販売機ＶＭの各部を統括して制御する制御部３００とを備える。
【００３２】
当該移動無線端末は、前述したように、ＥＣシステムに対応する機器に応じて４種類のサービスの提供を受ける機能を有しており、以下に説明するような処理を制御部１００が実行して、自動販売機ＶＭより提供されるサービスが、上記４種類のいずれであるかを判定し、サービスに応じた処理を実行する。
【００３３】
まず、図４に示す処理により、自動販売機ＶＭより提供されるサービスが、上記４種類のいずれであるかを判定する。この制御動作は、制御部１００によってなされる。
【００３４】
ステップ４ａでは、ＢＴ無線部１０５が自動販売機ＶＭのＢＴ無線部３００より送信される無線信号を受信して、自動販売機ＶＭのＰＩＮコードを取得し、ステップ４ｂに移行する。なお、上記ＰＩＮコードには、自動販売機ＶＭが提供するサービスの種別を示すサービス識別情報が含まれている。
【００３５】
ステップ４ｂでは、メモリ１１３に記憶されるサービス識別情報を参照して、当該移動無線端末にて受けることが可能なサービスがタイプ１，２，３，４であることを認識する。
【００３６】
そして、ステップ４ａで取得したＰＩＮコード内のサービス識別情報を参照し、このサービス識別情報が、タイプ１の場合にはステップ４ｃに移行し、タイプ２の場合にはステップ４ｄに移行し、タイプ３の場合にはステップ４ｅに移行し、タイプ４の場合にはステップ４ｆに移行する。
【００３７】
ステップ４ａで取得したＰＩＮコード内のサービス識別情報が、タイプ１，２，３，４のいずれでもない、すなわち自動販売機ＶＭが提供するサービスが当該移動無線端末にて提供を受けることができないサービスの場合には、ステップ４ｇに移行し、表示部１１１を制御して、自動販売機ＶＭが提供するサービスが当該移動無線端末にて提供を受けることができない旨を表示し、当該処理を終了する。
【００３８】
また、ステップ４ｃでは、タイプ１のサービスを受けるための処理を実施し、ステップ４ｄでは、タイプ２のサービスを受けるための処理を実施し、ステップ４ｅでは、タイプ３のサービスを受けるための処理を実施し、ステップ４ｆでは、タイプ４のサービスを受けるための処理を実施する。
【００３９】
次に、タイプ１，２，３，４の各サービスを受けるための処理について説明する。この処理も制御部１００によってなされる。  
まず、図５を参照して、タイプ１のサービスを受けるための処理について説明する。このサービスは、商品の販売に当たり、年齢制限を設けたものである。
【００４０】
ステップ５ａでは、自動販売機ＶＭに対して、ＢＴ無線部１０５を通じて、ステップ４ａで受信した自動販売機ＶＭのＰＩＮコードを折り返し送信し、ステップ５ｂに移行する。
【００４１】
これにより、自動販売機ＶＭでは、ＢＴ無線部３０１を通じて、自動販売機ＶＭのＰＩＮコードを受信すると、ＢＴ無線部３０１を通じて、メニュー情報や、自動販売機ＶＭにて販売される商品名や価格、商品毎の年齢制限情報を送信する。
【００４２】
ステップ５ｂでは、ステップ５ａの送信に応答して自動販売機ＶＭより送信されるメニュー情報、商品名や価格、商品毎の年齢制限情報を、ＢＴ無線部１０５を通じて受信して、ステップ５ｃに移行する。  
ステップ５ｃでは、ＵＩＭカード１１４からユーザの年齢情報をメモリ１１３に読み出し、ステップ５ｄに移行する。
【００４３】
ステップ５ｄでは、ステップ５ｂにて受信した自動販売機ＶＭのメニュー情報や商品毎の年齢制限情報を表示部１１１に表示し、ステップ５ｅに移行する。  
なお、図６は、ステップ５ｄにおける表示状態を示すもので、表示されるメニューは、扱っている商品に対応づけられて、販売の年齢制限を示す情報が表示される。
【００４４】
ステップ５ｅでは、ユーザが操作部１１２を操作することに応動して、表示部１１１に表示される情報をスクロールさせたり、メニュー選択受け付けを行い、購入したい商品の選択を受け付け、ステップ５ｆに移行する。
【００４５】
ステップ５ｆでは、ステップ５ｅで受け付けた商品の年齢制限情報と、ステップ５ｃで読み出したユーザの年齢情報を比較し、販売が許可される年齢であるか否かを判定する。
【００４６】
ここで、ユーザの年齢が販売が許可される年齢の場合には、ステップ５ｈに移行し、一方、販売が許可されない年齢の場合には、ステップ５ｇに移行する。なお、ステップ５ｅで受け付けた商品に、年齢制限が設定されていない場合には、ステップ５ｈに移行する。
【００４７】
ステップ５ｇでは、例えば「２０歳未満は買えません。」などのように、年齢制限により購入が許可されない旨を表示部１１１に表示し、ステップ５ｅに移行して、商品の受け付けを再度実行する。
【００４８】
ステップ５ｈでは、表示部１１１に暗証番号の入力を促す表示を行い、操作部１１２を通じて暗証番号の入力を受け付ける。暗証番号が入力されると、ステップ５ｉに移行する。
【００４９】
ステップ５ｉでは、ステップ５ｈで入力された暗証番号が、ＵＩＭカード１１４に記憶される電子マネー用の暗証番号と一致するか否かを判定する。ここで、電子マネー用の暗証番号と一致する場合には、ステップ５ｋに移行する。
【００５０】
一方、ここで、電子マネー用の暗証番号と一致しない場合には、ステップ５ｊに移行して、入力された暗証番号が正しくない旨の表示を表示部１１１に行い、当該処理を終了する。
【００５１】
ステップ５ｋでは、ステップ５ｅで希望した商品の金額が、予め設定した額Ｘ円以上であるか否かを判定する。ここで、購入希望商品の金額がＸ円（例えば１万円）以上の場合には、ステップ５ｌに移行し、一方、上記金額がＸ円未満の場合には、ステップ５ｍに移行する。
【００５２】
ステップ５ｌでは、Ｗ−ＣＤＭＡ無線部１０２を制御して、基地局ＢＳおよび公衆網を通じて電子マネーサーバＥＭＳに接続し、ＵＩＭカード１１４に記録されるユーザの識別情報に対応する口座から、上記商品を購入するのに必要な額の電子マネーに関する情報を引き出し、引き出した電子マネーの情報をＵＩＭカード１１４に記録する。
【００５３】
そして、ＢＴ無線部１０５を制御して、上記商品の識別番号と、上記商品の価格に相当する電子マネー情報を、自動販売機ＶＭに送信する。これに対して、自動販売機ＶＭは、当該移動無線端末より電子マネー情報を受信し、電子マネーによる支払いを受けると、要求された商品を取り出し口より排出し、折り返し商品販売受付の情報を送信する。
【００５４】
そして、ＢＴ無線部１０５を通じて、自動販売機ＶＭより折り返し商品販売受付の情報を受信すると、ＵＩＭカード１１４より支払い金額に相当する電子マネーの情報を減算し、当該処理を終了する。
【００５５】
なお、ステップ５ｌにおける電子マネーに関する情報の引き出しは、通信のトラヒックが低く、通信料金が安い深夜時間帯などに一括して行ったり、一定の利用金額が生じてから一括して行ったり、あるいは所定の支払いに日に一括して行うようにしてもよい。
【００５６】
ステップ５ｍでは、ＵＩＭカード１１４に蓄積される電子マネーの残高が、購入希望商品の価格より少ないかを判定する。ここで、ＵＩＭカード１１４に蓄積される電子マネーの残高が、購入希望商品の価格より少ない場合には、ステップ５ｌに移行し、一方、ＵＩＭカード１１４に蓄積される電子マネーの残高が、購入希望商品の価格以上の場合には、ステップ５ｎに移行する。
【００５７】
ステップ５ｎでは、ＢＴ無線部１０５を制御して、上記商品の識別番号と、上記商品の価格に相当する電子マネー情報を、自動販売機ＶＭに送信する。これに対して、自動販売機ＶＭは、当該移動無線端末より電子マネー情報を受信し、電子マネーによる支払いを受けると、要求された商品を取り出し口より排出し、折り返し商品販売受付の情報を送信する。
【００５８】
これに対して、移動無線端末が上記商品販売受付の情報を受信すると、ＵＩＭカード１１４より支払い金額に相当する電子マネーの情報を減算し、ステップ５ｏに移行する。
【００５９】
ステップ５ｏでは、自動販売機ＶＭのＰＩＮコードに対応づけて、その利用履歴として、購入回数を１だけ増やす。この時、購入回数が、所定の回数に達したならば、自動販売機ＶＭより取得したメニュー情報を、上記ＰＩＮコードに対応づけてメモリ１１３に記録し、当該処理を終了する。
【００６０】
次に、図７を参照して、タイプ２のサービスを受けるための処理について説明する。このサービスは、商品の購入数に応じて、商品を無償で提供するものである。
【００６１】
まずステップ７ａでは、自動販売機ＶＭに対して、ＢＴ無線部１０５を通じて、ステップ４ａで受信した自動販売機ＶＭのＰＩＮコードを折り返し送信するとともに、ＵＩＭカード１１４からユーザの識別コードを読み出して送信し、ステップ７ｂに移行する。
【００６２】
これに対して、自動販売機ＶＭでは、ＢＴ無線部３０１を通じて、自動販売機ＶＭのＰＩＮコードを受信すると、通信部３０２が顧客管理サーバＣＳと通信し、移動無線端末から受信したユーザの識別コードに基づいて、このユーザの購入回数情報を取得する。  
そして、自動販売機ＶＭは、ＢＴ無線部３０１を通じて、メニュー情報や、自動販売機ＶＭにて販売される商品名や価格、上記購入回数情報を送信する。
【００６３】
ステップ７ｂでは、ステップ７ａの送信に応答して自動販売機ＶＭより送信されるメニュー情報、商品名や価格、当該ユーザの過去の購入回数Ｎを示す情報を、ＢＴ無線部１０５を通じて受信して、ステップ７ｃに移行する。
【００６４】
ステップ７ｃでは、ステップ７ｂにて受信した自動販売機ＶＭのメニュー情報や当該ユーザの過去の購入回数Ｎを表示部１１１に表示し、ステップ７ｄに移行する。
【００６５】
ステップ７ｄでは、購入回数Ｎが１０以上であるか否かを判定する。ここで、Ｎが１０以上の場合には、ステップ７ｅに移行し、一方、Ｎが１０未満の場合には、ステップ７ｊに移行する。
【００６６】
ステップ７ｅでは、表示部１１１を制御して、「おまけを１個、差し上げます。」などの表示を行い、購入回数Ｎが所定の無償サービスを受けられる値に達していることを報知し、ステップ７ｆに移行する。
【００６７】
ステップ７ｆでは、ユーザが操作部１１２を操作して、無償サービスを受ける指示を行ったか否かを判定する。ここで、無償サービスを受ける指示があった場合には、ステップ７ｇに移行し、一方、無償サービスを受ける指示がなかった場合には、ステップ７ｈに移行する。
【００６８】
ステップ７ｇでは、購入回数Ｎの値から１０を引いた値を新たなＮの値とし、ＢＴ無線部１０５を通じて自動販売機ＶＭに対して、無償サービスを要求し、ステップ７ｈに移行する。これにより、自動販売機ＶＭは、無償サービスの商品を取り出し口より排出する。
【００６９】
ステップ７ｈでは、表示部１１１を制御して、商品を購入するか否かを問う表示を行い、ユーザが操作部１１２を操作して、商品の購入を行うか否かを判定する。  
ここで、商品を購入する指示があった場合には、ステップ７ｊに移行し、一方、商品を購入しない指示があった場合には、ステップ７ｉに移行する。
【００７０】
ステップ７ｉでは、自動販売機ＶＭに対して、ＢＴ無線部１０５を通じて、購入回数Ｎをアップロードし、当該処理を終了する。  
これにより、自動販売機ＶＭは、ＢＴ無線部３０１を通じて購入回数Ｎを受信すると、制御部３００が通信部３０２を制御して、当該ユーザの識別情報に対応づけて購入回数Ｎを顧客管理サーバＣＳに登録する。
【００７１】
一方、ステップ７ｊでは、ユーザが操作部１１２を操作することに応動して、表示部１１１に表示される情報をスクロールさせたり、メニュー選択受け付けを行い、購入したい商品の選択を受け付け、ステップ７ｋに移行する。
【００７２】
ステップ７ｋでは、表示部１１１に暗証番号の入力を促す表示を行い、操作部１１２を通じて暗証番号の入力を受け付ける。暗証番号が入力されると、ステップ７ｌに移行する。
【００７３】
ステップ７ｌでは、ステップ７ｋで入力された暗証番号が、ＵＩＭカード１１４に記憶される電子マネー用の暗証番号と一致するか否かを判定する。ここで、電子マネー用の暗証番号と一致する場合には、ステップ７ｍに移行する。
【００７４】
一方、ここで、電子マネー用の暗証番号と一致しない場合には、ステップ７ｐに移行して、入力された暗証番号が正しくない旨の表示を表示部１１１に行い、当該処理を終了する。
【００７５】
ステップ７ｍでは、図５のステップ５ｋ〜５ｏに示した処理により、電子マネーを支払う処理を実施し、ステップ７ｎに移行する。  
なお、自動販売機ＶＭは、ＢＴ無線部３０１を通じて電子マネー情報を受信して、電子マネーによる支払いを受けると、要求された商品を取り出し口より排出し、折り返し商品販売受付の情報を送信する。
【００７６】
ステップ７ｎでは、現在の購入回数Ｎに１を加えた値を新たなＮの値とし、ステップ７ｏに移行する。  
ステップ７ｏでは、購入回数Ｎが１０以上であるか否かを判定する。ここで、Ｎが１０以上の場合には、ステップ７ｅに移行し、一方、Ｎが１０未満の場合には、ステップ７ｈに移行する。
【００７７】
次に、図８を参照して、タイプ３のサービスを受けるための処理について説明する。このサービスは、商品の健康に関わる情報や、ユーザの購入履歴に応じた商品推奨を行うものである。
【００７８】
まずステップ８ａでは、自動販売機ＶＭに対して、ＢＴ無線部１０５を通じて、ステップ４ａで受信した自動販売機ＶＭのＰＩＮコードを折り返し送信するとともに、ＵＩＭカード１１４からユーザの識別コードを読み出して送信し、ステップ８ｂに移行する。
【００７９】
これに対して、自動販売機ＶＭでは、ＢＴ無線部３０１を通じて、自動販売機ＶＭのＰＩＮコードを受信すると、通信部３０２が顧客管理サーバＣＳと通信し、移動無線端末から受信したユーザの識別コードに基づいて、このユーザの購入履歴の情報を取得する。この購入履歴には、商品名や商品のカロリー情報が含まれる。
【００８０】
そして、自動販売機ＶＭは、ＢＴ無線部３０１を通じて、メニュー情報や、自動販売機ＶＭにて販売される商品名や価格、カロリーの情報と、上記購入履歴に基づく商品名や商品のカロリー情報を送信する。
【００８１】
ステップ８ｂでは、ステップ８ａの送信に応答して自動販売機ＶＭより送信されるメニュー情報、商品名や価格、カロリーの情報を受信して、ステップ８ｃに移行する。
【００８２】
ステップ８ｃでは、さらに自動販売機ＶＭより送信される、当該ユーザの購入した商品名やそのカロリーの情報をＢＴ無線部１０５を通じて受信して、ステップ８ｄに移行する。
【００８３】
ステップ８ｄでは、ステップ８ｂにて受信した自動販売機ＶＭのメニュー情報や取り扱う商品のカロリー、またはステップ８ｃにて受信した当該ユーザの過去の購入履歴に基づく情報（購入した商品名、数量、カロリーなど）を、操作部１１２を通じたユーザの要求に応じて選択的に表示部１１１に表示し、ステップ８ｅに移行する。
【００８４】
ここで、図９（ａ）は、自動販売機ＶＭのメニュー情報として取り扱う商品やそのカロリーを表示部１１１に表示した際の表示例で、図９（ｂ）は、ユーザの過去の購入履歴に基づく情報を表示部１１１に表示した際の表示例である。
【００８５】
ステップ８ｅでは、ステップ８ｃにて受信した購入履歴に基づいて、過去１０回以内に購入した商品が、コーヒーや清涼飲料水などのカロリーの高いものばかりであるか否かを判定する。ここで、カロリーの高いものばかりである場合には、ステップ８ｆに移行し、一方、カロリーの高いものばかりではない場合には、ステップ８ｇに移行する。
【００８６】
ステップ８ｆでは、表示部１１１を制御して、野菜ジュースなど、比較的カロリーの低い健康飲料水を購入するように奨める表示を行い、ステップ８ｇに移行する。図９（ｃ）に、その表示例を示す。
【００８７】
ステップ８ｇでは、ユーザが操作部１１２を操作することに応動して、表示部１１１に表示される情報をスクロールさせたり、メニュー選択受け付けを行い、購入したい商品の選択を受け付け、ステップ８ｈに移行する。
【００８８】
ステップ８ｈでは、表示部１１１に暗証番号の入力を促す表示を行い、操作部１１２を通じて暗証番号の入力を受け付ける。暗証番号が入力されると、ステップ８ｉに移行する。
【００８９】
ステップ８ｉでは、ステップ８ｈで入力された暗証番号が、ＵＩＭカード１１４に記憶される電子マネー用の暗証番号と一致するか否かを判定する。ここで、電子マネー用の暗証番号と一致する場合には、ステップ８ｊに移行する。
【００９０】
一方、ここで、電子マネー用の暗証番号と一致しない場合には、ステップ８ｋに移行して、入力された暗証番号が正しくない旨の表示を表示部１１１に行い、当該処理を終了する。
【００９１】
ステップ８ｊでは、図５のステップ５ｋ〜５ｏに示した処理により、電子マネーを支払う処理を実施し、当該処理を終了する。  
なお、自動販売機ＶＭは、ＢＴ無線部３０１を通じて電子マネー情報を受信して、電子マネーによる支払いを受けると、要求された商品を取り出し口より排出し、折り返し商品販売受付の情報を送信する。
【００９２】
次に、図１０を参照して、タイプ４のサービスを受けるための処理について説明する。このサービスは、自動販売機ＶＭにて購入可能な商品の情報の他に、広告情報を受信し、この受信した広告情報をメールなどにより他の端末に送信した回数に応じて、懸賞などに応募するサービスを提供するものである。
【００９３】
まずステップ１０ａでは、自動販売機ＶＭに対して、ＢＴ無線部１０５を通じて、ステップ４ａで受信した自動販売機ＶＭのＰＩＮコードを折り返し送信するとともに、ＵＩＭカード１１４からユーザの識別コードを読み出して送信し、ステップ１０ｂに移行する。
【００９４】
これに対して、自動販売機ＶＭでは、ＢＴ無線部３０１を通じて、自動販売機ＶＭのＰＩＮコードを受信すると、通信部３０２が顧客管理サーバＣＳと通信し、移動無線端末から受信したユーザの識別コードに基づいて、このユーザの広告残り送信回数Ｍの情報を取得する。
【００９５】
そして、自動販売機ＶＭは、ＢＴ無線部３０１を通じて、メニュー情報や、自動販売機ＶＭにて販売される商品名や価格、広告のデータ、広告残り送信回数Ｍの情報を送信する。
【００９６】
ステップ１０ｂでは、ステップ１０ａの送信に応答して自動販売機ＶＭより送信されるメニュー情報、商品名や価格、そして広告のデータ、広告残り送信回数Ｍの情報をＢＴ無線部３０１を通じて受信して、ステップ１０ｃに移行する。
【００９７】
ステップ１０ｃでは、表示部１１１を制御して、ステップ１０ｂにて受信した自動販売機ＶＭのメニュー情報や、広告を表示するとともに、広告残り送信回数Ｍを表示し、ステップ１０ｄに移行する。
【００９８】
ステップ１０ｄでは、表示部１１１を制御して、メールなどにより広告を他の端末に送信するか、あるいは商品を購入するかを問う表示を行い、操作部１１２を通じてユーザからの要求を受け付ける。
【００９９】
ここで、ユーザから広告送信の要求を受け付けた場合には、ステップ１０ｅに移行し、一方、ユーザから商品を購入する要求を受け付けた場合には、ステップ１０ｊに移行する。
【０１００】
ステップ１０ｅでは、Ｗ−ＣＤＭＡ無線部１０２を通じてメール送信などにより、ユーザが指定する他の端末に対して送信内容に、自動販売機ＶＭより受信した広告のデータを付加して送信し、ステップ１０ｆに移行する。  
ステップ１０ｆでは、広告残り送信回数Ｍから「１」を減算し、新たに広告残り送信回数Ｍとして、メモリ１１３に記憶し、ステップ１０ｇに移行する。
【０１０１】
ステップ１０ｇでは、広告残り送信回数Ｍが「０」であるか否かを判定する。  ここで、広告残り送信回数Ｍが「０」の場合には、ステップ１０ｈに移行し、一方、広告残り送信回数Ｍが「０」でない場合には、ステップ１０ｄに移行する。
【０１０２】
ステップ１０ｈでは、ＢＴ無線部１０５を通じて、自動販売機ＶＭに対して、広告残り送信回数Ｍが「０」である旨を通知する。すると、これに応答して、自動販売機ＶＭは、ＢＴ無線部３０１を通じて、懸賞応募フォームを送信し、これを移動無線端末は、ＢＴ無線部１０５を通じて受信し、ステップ１０ｉに移行する。
【０１０３】
ステップ１０ｉでは、表示部１１１を制御して、ユーザに対して懸賞に応募できる旨を報知し、懸賞応募フォームを表示して、住所や氏名、電話番号などの入力を求める。
【０１０４】
そして、ユーザが操作部１１２を通じて応募に必要な情報を入力し、それが完了すると、入力された情報が懸賞応募情報として、ＢＴ無線部１０５を通じ自動販売機ＶＭに送信され、ステップ１０ｄに移行する。
【０１０５】
なお、自動販売機ＶＭは、上記懸賞応募情報をＢＴ無線部３０１を通じて受信し、この情報を通信部３０２を通じて顧客管理サーバＣＳに送信し、懸賞の応募を受け付ける。
【０１０６】
一方、ステップ１０ｊでは、ユーザが操作部１１２を操作することに応動して、表示部１１１に表示される情報をスクロールさせたり、メニュー選択受け付けを行い、購入したい商品の選択を受け付け、ステップ１０ｋに移行する。
【０１０７】
ステップ１０ｋでは、表示部１１１に暗証番号の入力を促す表示を行い、操作部１１２を通じて暗証番号の入力を受け付ける。暗証番号が入力されると、ステップ１０ｌに移行する。
【０１０８】
ステップ１０ｌでは、ステップ１０ｋで入力された暗証番号が、ＵＩＭカード１１４に記憶される電子マネー用の暗証番号と一致するか否かを判定する。ここで、電子マネー用の暗証番号と一致する場合には、ステップ１０ｍに移行する。
【０１０９】
一方、ここで、電子マネー用の暗証番号と一致しない場合には、ステップ１０ｎに移行して、入力された暗証番号が正しくない旨の表示を表示部１１１に行い、当該処理を終了する。
【０１１０】
ステップ１０ｍでは、図５のステップ５ｋ〜５ｏに示した処理により、電子マネーを支払う処理を実施し、当該処理を終了する。  
なお、自動販売機ＶＭは、ＢＴ無線部３０１を通じて電子マネー情報を受信して、電子マネーによる支払いを受けると、要求された商品を取り出し口より排出し、折り返し商品販売受付の情報を送信する。
【０１１１】
以上のように、上記構成の移動無線端末では、年齢制限が設定される商品を販売するタイプ１のサービスを提供する自動販売機ＶＭと電子商取引を行う場合に、ＵＩＭカード１１４に記憶されるユーザの年齢情報と、自動販売機ＶＭに設定される商品の年齢制限情報とを比較して、ユーザが年齢制限に該当しない場合に限り、商品の購入が行えるようにしている。
【０１１２】
したがって、上記構成の移動無線端末によれば、酒やたばこなどのような年齢制限のある商品の販売についても、法律や条令を遵守して物品を購入することができる。
【０１１３】
また、上記構成の移動無線端末では、ユーザの購入回数に応じて例えば商品が無償でもらえるといった特別なサービスを提供する、タイプ２のサービスを提供する自動販売機ＶＭと電子商取引を行う場合に、顧客管理サーバＣＳから当該ユーザの購入履歴の情報を取得し、この情報に基づいて特別なサービスが受けられるか否かを判断し、特別なサービスが受けられる場合には、その旨をユーザに報知するようにしている。
【０１１４】
したがって、上記構成の移動無線端末によれば、タイプ２のサービスを提供する自動販売機ＶＭを利用する場合には、ユーザに購入履歴に応じた特別なサービスが受けられる旨を報知できるので、タイプ２のサービスを提供する自動販売機ＶＭを利用する際の利便性が向上し、ユーザが利用することを促進させることができる。
【０１１５】
さらに、上記構成の移動無線端末では、タイプ３のサービスとして、自動販売機ＶＭにて購入可能な商品のカロリーなど健康管理に関わる情報を、購入前に自動販売機ＶＭから取得して表示部１１１に表示し、またユーザの購入履歴を取得して、これに基づいてユーザに適した商品を推奨するようにしている。
【０１１６】
したがって、上記構成の移動無線端末によれば、購入前に商品の健康に関する情報を入手できるので、ユーザは健康に留意することができるとともに、ユーザの健康維持に寄与することができる。
【０１１７】
さらにまた、上記構成の移動無線端末では、タイプ４のサービスとして、自動販売機ＶＭから広告データを受信して表示部１１１に表示し、またこの広告データを他の移動無線端末へ送信する回数に応じて、例えば懸賞に応募できるなどの特別なサービスを受けられるようにしている。
【０１１８】
したがって、上記構成の移動無線端末によれば、特別なサービスを期待するユーザの手によって、広告を広く報知することができ、またユーザは、広告を他の移動無線端末に報知することにより、特別なサービスの提供を受けることができる。
【０１１９】
以上のように、上記構成の移動無線端末では、ユーザの年齢に応じて商品の販売を制限したり、ユーザ毎に情報を管理することにより、ユーザに応じたサービスを提供できる。
【０１２０】
尚、この発明は上記実施の形態に限定されるものではない。  
その他、この発明の要旨を逸脱しない範囲で種々の変形を施しても同様に実施可能であることはいうまでもない。
【図面の簡単な説明】
【０１２１】
【図１】この発明に係わる移動無線端末の一実施形態の構成を示す回路ブロック図。
【図２】図１に示した移動無線端末を用いて、電子商取引を行う場合のシステム構成図。
【図３】図１に示した移動無線端末において、電子マネーに関する情報をＵＩＭカードに引き出す場合の処理を説明するフローチャート。
【図４】図１に示した移動無線端末において、自動販売機が提供するサービスの種別を判定する処理を説明するフローチャート。
【図５】図１に示した移動無線端末において、タイプ１のサービスを提供する自動販売機より商品を購入する場合の処理を説明するフローチャート。
【図６】図１に示した移動無線端末の表示部に、メニュー情報を表示した場合の表示例を示す図。
【図７】図１に示した移動無線端末において、タイプ２のサービスを提供する自動販売機より商品を購入する場合の処理を説明するフローチャート。
【図８】図１に示した移動無線端末において、タイプ３のサービスを提供する自動販売機より商品を購入する場合の処理を説明するフローチャート。
【図９】図８に示した処理により、移動無線端末の表示部に表示される情報の一例を示す図。
【図１０】図１に示した移動無線端末において、タイプ４のサービスを提供する自動販売機より商品を購入する場合の処理を説明するフローチャート。
【符号の説明】
【０１２２】
ＢＳ…基地局、ＶＭ…自動販売機、ＣＳ…顧客管理サーバ、ＥＭＳ…電子マネーサーバ、１００…制御部、１０１…アンテナ
、１０２…Ｗ−ＣＤＭＡ無線部、１０３…電圧制御部、１０４…アンテナ、１０５…ＢＴ無線部、１０６…音声コーデック部、１０７…マイクロホン、１０８…スピーカ、１０９…画像処理部、１１０…カメラ、１１１…表示部、１１２…操作部、１１３…メモリ、１１４…ＵＩＭカード、１１５…インターフェイス、３００…制御部、３０１…ＢＴ無線部、３０２…通信部。
【図１】
2008219902.tif 000003
【図２】
2008219902.tif 000004
【図３】
2008219902.tif 000005
【図４】
2008219902.tif 000006
【図５】
2008219902.tif 000007
【図６】
2008219902.tif 000008
【図７】
2008219902.tif 000009
【図８】
2008219902.tif 000010
【図９】
2008219902.tif 000011
【図１０】
2008219902.tif 000012